(57)【特許請求の範囲】
【請求項１】
パチンコ遊技機が複数並設されるとともに、各パチンコ遊技機に遊技球を補給し得る補給レールが長手方向に延設された島設備であって、
前記補給レールは、遊技球を転動させ得る転動面が形成されるとともに、当該補給レールの側面に当該転動面を幅方向に拡張させる拡幅手段が取り付け可能とされ、且つ、前記拡幅手段は、一方の側面が前記補給レールの側面に取り付け可能とされるとともに、他方の側面には別個の拡幅手段が取り付け可能とされて更なる転動面の拡張が可能とされたことを特徴とする島設備。
【請求項２】
パチンコ遊技機から排出された遊技球を回収する回収レールと、
該回収レールで回収された遊技球を揚送し、その遊技球を前記補給レールに供給し得る揚送手段と、
を具備するとともに、前記揚送手段は、島端に配設されたことを特徴とする請求項１記載の島設備。
【発明の詳細な説明】
【技術分野】
【０００１】
本発明は、パチンコ遊技機が複数並設されるとともに、各パチンコ遊技機に遊技球を補給し得る補給レールが長手方向に延設された島設備に関するものである。
【背景技術】
【０００２】
パチンコ遊技機の島設備は、パチンコ店内ホールに設置され、複数のパチンコ遊技機が横並びに配設されるとともに、それらパチンコ遊技機に対して電力の供給や遊技球の供給及び回収等を行い得るよう構成されている。かかるパチンコ遊技機の島設備においては、通常、パチンコ遊技球から排出された遊技球を回収する回収レールと、該回収レールで回収された遊技球を貯留する島中タンクと、島上に配設されて遊技球を貯留可能な島上タンクと、島中タンクで貯留した遊技球を島上タンクまで揚送する揚送機とが配設されている。
【０００３】
さらに、通常の島設備においては、島上タンク内に貯留した遊技球を島端に向かって流下させるとともに各パチンコ遊技機に遊技球を補給可能な補給レールが延設されていた。かかる補給レールは、遊技球を自重にて転動させる転動面が形成されるとともに、転動面に沿って流下する遊技球を所定のパチンコ遊技機に案内して補給するシュートが取り付けられていた。しかるに、従来の島設備は、その長手方向の略中央に揚送手段及び島上タンクが配設されるとともに、島上タンクから一方の島端及び他方の島端に向かってそれぞれ補給レールが延設されていた。なお、かかる先行技術は、文献公知発明に係るものでないため、記載すべき先行技術文献情報はない。
【発明の概要】
【発明が解決しようとする課題】
【０００４】
しかしながら、上記従来の島設備においては、以下の如き問題があった。
従来においては、揚送手段及び島上タンクが島設備の略中央に配設されており、その島上タンクから一方の島端及び他方の島端のそれぞれに向かって補給レールが一対延設されていたので、一つの補給レールから遊技球を補給し得るパチンコ遊技機は、島設備に設置されたパチンコ遊技機のおおよそ半分程度とされていた。
【０００５】
これに対し、近時において、揚送手段を島設備の何れか一方の島端に配設するものが提案されるに至っており、その場合、補給レールを一方の島端から他方の島端まで延設させ、その島設備に設置された全てのパチンコ遊技機に対して一つの補給レールから遊技球を補給しなければならないので、上流側においてそれまでより多くの遊技球を流下させる必要があった。
【０００６】
また、一つの島設備にパチンコ遊技機の他、パチスロ等の遊技球の補給が不要な他の遊技機を任意設置するものも提案されるに至っており、一つの島設備におけるパチンコ遊技機の設置数が増加又は減少した場合、補給レールにて流下させる遊技球の量を変更する必要がある。このように、一つの島設備に設置される揚送手段の配設位置やパチンコ遊技機の設置数等の変更に伴い、補給レールにて流下させるべき遊技球の量を任意に変更させる必要性が生じていた。
【０００７】
しかしながら、従来の島設備においては、補給レールにて流下させるべき遊技球の量を任意に変更するには、補給レールを転動面の幅が広いもの或いは狭いものに交換する必要があるため、転動面の幅が種々異なる補給レールを予め複数用意しておかなければならず、変更に伴うコストが嵩んでしまうという問題があった。
【０００８】
本発明は、このような事情に鑑みてなされたもので、補給レールにて流下させるべき遊技球の量を任意に変更することができるとともに、当該変更に伴うコストを抑制しつつ容易に対応することができる島設備を提供することにある。
【課題を解決するための手段】
【０００９】
請求項１記載の発明は、パチンコ遊技機が複数並設されるとともに、各パチンコ遊技機に遊技球を補給し得る補給レールが長手方向に延設された島設備であって、前記補給レールは、遊技球を転動させ得る転動面が形成されるとともに、当該補給レールの側面に当該転動面を幅方向に拡張させる拡幅手段が取り付け可能とされ、且つ、前記拡幅手段は、一方の側面が前記補給レールの側面に取り付け可能とされるとともに、他方の側面には別個の拡幅手段が取り付け可能とされて更なる転動面の拡張が可能とされたことを特徴とする。
【００１０】
請求項２記載の発明は、請求項１記載の島設備において、パチンコ遊技機から排出された遊技球を回収する回収レールと、該回収レールで回収された遊技球を揚送し、その遊技球を前記補給レールに供給し得る揚送手段とを具備するとともに、前記揚送手段は、島端に配設されたことを特徴とする。
【発明の効果】
【００１１】
請求項１の発明によれば、補給レールは、遊技球を転動させ得る転動面が形成されるとともに、当該補給レールの側面に当該転動面を幅方向に拡張させる拡幅手段が取り付け可能とされたので、補給レールにて流下させるべき遊技球の量を任意に変更することができるとともに、当該変更に伴うコストを抑制しつつ容易に対応することができる。
【００１２】
また、拡幅手段は、一方の側面が補給レールの側面に取り付け可能とされるとともに、他方の側面には別個の拡幅手段が取り付け可能とされて更なる転動面の拡張が可能とされたので、複数の拡幅手段を補給レールの幅方向に順次取り付けることで、転動面を任意寸法に拡幅することができる。
【００１３】
請求項２の発明によれば、パチンコ遊技機から排出された遊技球を回収する回収レールと、該回収レールで回収された遊技球を揚送し、その遊技球を補給レールに供給し得る揚送手段とを具備するとともに、揚送手段は、島端に配設されたので、揚送手段の設置やメンテナンスを容易に行わせることができるとともに、拡幅手段により任意部位の補給レールを拡幅させることができる。
【図面の簡単な説明】
【００１４】
【図１】本発明の実施形態に係る島設備を示す全体模式図
【図２】同島設備における補給レールに拡幅手段及びシュートが取り付けられた状態を示す断面図
【図３】同島設備における補給レールを示す斜視図
【図４】同島設備における拡幅手段を示す４面図
【図５】同島設備における補給レールから拡幅手段を取り外した状態を示す断面図
【図６】同島設備における拡幅手段の側面に別個の拡幅手段が取り付けられた状態を示す断面図
【発明を実施するための形態】
【００１５】
以下、本発明の実施形態について図面を参照しながら具体的に説明する。
本実施形態に係る島設備は、図１に示すように、遊技店に設置されるとともにパチンコ遊技機Ｐが複数並列して設置された島状のものから成る。かかる島設備１は、それぞれのパチンコ遊技機Ｐに電力を供給し得るとともに、各パチンコ遊技機Ｐに遊技球を補給し或いは回収する流路（レール等）を具備している。
【００１６】
本実施形態で適用されるパチンコ遊技機Ｐは、ガラス板が取り付けられた前面枠を有しており、該ガラス板から遊技者が遊技盤を目視し得るように構成されており、この遊技盤の遊技領域には、図柄表示手段、始動口や大入賞口等の種々役物が配設されている。そして、ハンドルを回転操作することにより、遊技球が遊技盤に発射され、所定の入賞口に入賞或いは最下のアウト穴に至るよう構成されている。
【００１７】
島設備１は、パチンコ遊技機Ｐに電力を供給し得る電力供給手段（不図示）を具備するとともに、補給レール２と、回収レール３と、研磨機４と、リフタ等から成る揚送手段５とが設置されている。また、この島設備１の一端（図１中左側島端）には、Ｊ／Ｃ６（ジェットカウンターと称される計数機）が配設されており、当該Ｊ／Ｃ６から受け入れた遊技球が回収レール３にて回収されるよう構成されている。
【００１８】
回収レール３は、パチンコ遊技機Ｐから排出された遊技球、或いは上述のようにＪ／Ｃ６で受け入れた遊技球を回収するための流路から成り、当該Ｊ／Ｃ６又は各パチンコ遊技機Ｐから排出された遊技球がその自重にて研磨機４に至るようになっている。研磨機４は、回収レール３にて回収された遊技球を研磨するためのもので、当該研磨機４にて研磨された遊技球は、揚送手段５に送られ、島設備１の上部まで揚送されるよう構成されている。
【００１９】
本実施形態においては、揚送手段５は、島設備１の島端に配設されており、補給レール２は、その揚送手段５が配設された島端から他方の島端まで延設されている。この補給レール２は、島設備１の長手方向に亘って延設された遊技球の流路から成り、揚送手段５で揚送された遊技球を自重にて流下させるとともに、その流下過程において各パチンコ遊技機Ｐに遊技球を補給し得るものである。
【００２０】
かかる補給レール２は、図２、３に示すように、遊技球を転動させ得る転動面２ａが形成されるとともに、その両側面には、シュート８を取り付けるための取付部２ｂが一体形成されている。また、補給レール２の下部には、突出部２ｃが一体形成されており、図５に示すように、取付部２ｂにシュート８の係止部８ａが係止した状態において、突出部２ｃにシュート８の係止部８ｃ（図２参照）が係止するよう構成されており、シュート８を強固に取り付け可能とされている。
【００２１】
ここで、本実施形態に係る補給レール２の取付部２ｂには、シュート８に代えて拡幅手段７が取り付けられるとともに、当該拡幅手段７の側面にシュート８が取り付けられている。かかる拡幅手段７は、補給レール２の側面に取り付けられ、当該補給レール２の転動面２ａを幅方向に拡張させるもので、図４に示すように、一方の側面に係止部７ｂが一体形成されるとともに、他方の側面に被係止部７ｃが一体形成されたものである。
【００２２】
係止部７ｂは、シュート８の係止部８ａ（図２参照）と略同一形状の部位から成り、当該係止部８ａと同様な状態で補給レール２の取付部２ｂに係止可能とされている。また、被係止部７ｃは、補給レール２の取付部２ｂと略同一形状の部位から成り、当該取付部２ｂと同様な状態でシュート８の係止部８ａを係止可能とされている。また、拡幅手段７には、補給レール２の側面に取り付けられた状態で遊技球を転動させ得る拡幅転動面７ａが形成されている。
【００２３】
なお、拡幅手段７における係止部７ｂが形成された側面の下部には、補給レール２の突出部２ｃ（図２参照）と係止し得る下部係止部７ｄが形成されているとともに、拡幅手段７における被係止部７ｃが形成された側面の下部には、突出部２ｃと略同一厚み且つ略同一突出寸法とされた下部被係止部７ｅが形成されている。これにより、拡幅手段７は、係止部７ｂが取付部２ｃに係止しつつ下部係止部７ｄが突出部２ｃに係止して、補給レール２の側面に強固に取り付けられるとともに、シュート８は、係止部８ａが被係止部７ｃに係止しつつ係止部８ｃが下部被係止部７ｅに係止して拡幅手段７の側面に強固に取り付けられる。
【００２４】
このように、補給レール２の側面にシュート８が取り付けられた状態（図５参照）においては、当該補給レール２による遊技球を流下させる幅寸法は、その転動面２ａの幅寸法αであったのに対し、補給レール２の側面に拡幅手段７を取り付けた状態（図２参照）とすれば、遊技球を流下させる幅寸法は、転動面２ａの幅寸法に加えて拡幅転動面７ａの幅寸法β（本実施形態においては補給レール２の両側にそれぞれ拡幅手段７が取り付けられていることから幅寸法βの２倍）だけ大きくすることができる。すなわち、補給レール２の側面に拡幅手段７を取り付けることにより、当該補給レール２の転動面２ａを幅方向に拡張させることができるのである。
【００２５】
なお、本実施形態においては、一方の側面に係止部７ｂ及び下部係止部７ｄが一体形成されるとともに、他方の側面に被係止部７ｃ及び下部被係止部７ｅが一体形成されたものとされているが、これら係止部７ｂ、下部係止部７ｄ、被係止部７ｃ及び下部被係止部７ｅの少なくとも一つ（全部であってもよい）が別体とされ、拡幅手段７の本体に溶着等にて固定されるものとしてもよい。
【００２６】
一方、シュート８は、補給レール２の所定部位（パチンコ遊技機Ｐの設置位置に対応した部位）に取り付けられ、遊技球をパチンコ遊技機Ｐに案内するためのもので、補給レール２の取付部２ｂに係止可能（図５参照）とされ、且つ、拡幅手段７の被係止部７ｃに係止可能（図２参照）とされた係止部８ａを具備している。すなわち、補給レール２の取付部２ｂ及び拡幅手段７の被係止部７ｃは、既述の如く略同一形状とされることから、これら取付部２ｂ及び被係止部７ｃの何れにも良好に係止部８ａを係止させることができるのである。
【００２７】
また、シュート８は、補給レール２の側面に取り付けられた状態において、当該補給レール２の転動面２ａ側に開口した導入口を有するとともに、該導入口から導入された遊技球をパチンコ遊技機Ｐまで案内するための案内路８ｂが接続されている。これにより、補給レール２を流下する過程の遊技球は、シュート８及び案内路８ｂを介してパチンコ遊技機Ｐに案内されて補給されることとなる。
【００２８】
さらに、本実施形態に係る拡幅手段７は、図６に示すように、一方の側面が補給レール２の側面に取り付け可能とされるとともに、他方の側面には別個の拡幅手段７が取り付け可能とされて更なる転動面の拡張が可能とされている。他方の側面に取り付けられた別個の拡幅手段７は、補給レール２の側面に取り付けられた拡幅手段７と同一形状及び同一寸法のものから成り、当該補給レール２の幅方向に順次係止させることにより、拡幅を順次行わせることができる。
【００２９】
しかして、本実施形態においては、補給レール２の一方の側面に別個の拡幅手段７が１つ取り付けられているが、この別個の拡幅手段７の側面に更に別個の拡幅手段７を任意個数だけ取り付けることができる。このように本実施形態によれば、拡幅手段７は、一方の側面が補給レール２の側面に取り付け可能とされるとともに、他方の側面には別個の拡幅手段７が取り付け可能とされて更なる転動面２ａの拡張が可能とされたので、複数の拡幅手段７を補給レール２の幅方向に順次取り付けることで、転動面２ａを任意寸法に拡幅することができる。
【００３０】
上記実施形態によれば、補給レール２は、遊技球を転動させ得る転動面２ａが形成されるとともに、当該補給レール２の側面に当該転動面２ａを幅方向に拡張させる拡幅手段７が取り付け可能とされたので、拡幅手段７の取り付け部位を拡幅させることができるとともに、その拡幅手段７を取り外せば、転動面２ａの拡幅をなくすことができる。よって、補給レール２にて流下させるべき遊技球の量を任意に変更することができるとともに、当該変更に伴うコストを抑制しつつ容易に対応することができる。
【００３１】
さらに本実施形態によれば、補給レール２の側面には、遊技球をパチンコ遊技機Ｐに案内するためのシュート８を取り付けるための取付部２ｂが形成されるとともに、当該取付部２ｂに拡幅手段７が取り付け可能とされたので、既存の補給レール２に何ら変更を加えなくても取付部２ｂを利用して拡幅手段７を取り付けることができる。なお、補給レール２の側面に拡幅手段７を取り付けるための別個新たな取付部を形成するようにしてもよい。
【００３２】
特に、本実施形態に係る拡幅手段７は、一方の側面に形成された係止部７ｂ及び下部係止部７ｄがそれぞれシュート８に形成された係止部８ａ及び係止部８ｃと略同一形状及び略同一寸法とされており、且つ、他方の側面に形成された被係止部７ｃ及び下部被係止部７ｅがそれぞれ補給レール２の側面に形成された取付部２ｂ及び突出部２ｃと略同一厚み且つ略同一突出寸法とされたので、シュート８に代えて拡幅手段７を円滑且つ確実に取り付けることができるとともに、拡幅手段７にシュート８を円滑且つ確実に取り付けることができる。
【００３３】
またさらに、本実施形態によれば、パチンコ遊技機Ｐから排出された遊技球を回収する回収レール３と、該回収レール３で回収された遊技球を揚送し、その遊技球を補給レール２に供給し得る揚送手段５とを具備するとともに、揚送手段５は、一方の島端に配設されたので、揚送手段５の設置やメンテナンスを容易に行わせることができるとともに、拡幅手段７により任意部位の補給レール２を拡幅させることができる。
【００３４】
以上、本実施形態について説明したが、本発明はこれに限定されるものではなく、例えば補給レール２を複数に分割して配設し、その隣り合う補給レール２の間に遊技球を揚送可能なリフタを配設するようにしてもよい。また、回収レール３の途中又は研磨機４の近傍に当該回収レール３で回収された遊技球を所定量収容するための島中タンクを取り付けたり、或いは揚送手段５の上端側に揚送した遊技球を所定量収容するための島上タンクを取り付けたものとしてもよい。
【産業上の利用可能性】
【００３５】
補給レールは、遊技球を転動させ得る転動面が形成されるとともに、当該補給レールの側面に当該転動面を幅方向に拡張させる拡幅手段が取り付け可能とされ、且つ、拡幅手段は、一方の側面が補給レールの側面に取り付け可能とされるとともに、他方の側面には別個の拡幅手段が取り付け可能とされて更なる転動面の拡張が可能とされた島設備であれば、他の種々形態のものとすることができる。
【符号の説明】
【００３６】
１  島設備
２  補給レール
３  回収レール
４  研磨機
５  揚送手段
６  Ｊ／Ｃ
７  拡幅手段
８  シュート
Ｐ  パチンコ遊技機
【図１】
0006047219.tif 000002
【図２】
0006047219.tif 000003
【図３】
0006047219.tif 000004
【図４】
0006047219.tif 000005
【図５】
0006047219.tif 000006
【図６】
0006047219.tif 000007